(57)【特許請求の範囲】
【請求項１】
容器体とキャップとの組合せであって、
容器体は、外周に雄ネジが形成された口頸部と、該雄ネジの下方で且つ該口頸部の外方に設けられ周方向に対向する位置関係にある２個の係止部とを有しており、前記口頸部の雄ネジには前記係止部と直交する位置に雄ネジ欠落部が形成されており、前記雄ネジ欠落部の下方には容器体係合部が形成されており、
キャップは、天面壁と該天面壁の周縁から垂下するスカート部を有し、前記スカート部の内周面には、前記口頸部の雄ネジに螺着する雌ネジと該雌ネジより下方に１個又は周方向に対向する位置関係にある２個の突起が形成されており、前記突起と直交する位置の前記スカート部内周面には、前記スカート部外側面を外方から押圧した際に前記容器体係合部に下方より係合するキャップ係合部が形成されており、
前記キャップを開栓する際、前記容器体口頸部の係止部に前記キャップの突起が当接して開栓方向への旋回が阻止され、前記突起と直交する位置の前記スカート部外側面を外方から押圧することによりスカート部を楕円形状に弾性変形させ、前記係止部より前記突起を半径方向外方に移動させ開栓方向への旋回が許容される機構を有し、
前記キャップの雌ネジには、前記突起と直交する位置に雌ネジ欠落部が形成されていることを特徴とする容器体とキャップとの組合せ。
【請求項２】
前記突起の周方向両側に前記スカート部を薄肉にした変形促進部が形成されている請求項１に記載の容器体とキャップとの組合せ。
【発明の詳細な説明】
【技術分野】
【０００１】
本発明は、飲料や調味料、薬品などを収容するボトルなどの容器体と、これの口頸部に装着されるキャップとの組合せに関し、詳しくは乳幼児などがキャップを外そうとしても容易に開栓できないような安全な機構を設けるとともに、開栓操作性に優れた容器体とキャップとの組合せに関する。
【背景技術】
【０００２】
従来の容器体とキャップとの組合せの容器は、キャップを掴んで回せば誰にでも容易に開栓できるような構造になっている。このため、乳幼児がキャップを手や口でいじっているうちにキャップを外し、容器の中身やキャップそのものを口に入れてしまう誤飲事故が発生する恐れがある。こうした事故を防ぐために、乳幼児が簡単に開栓できないように工夫された、いわゆる安全キャップが提案されている。例えば、このような容器体とキャップとの組合せに関連して、以下のような技術のものが開示されている。
【０００３】
特許文献１には、互いに噛合い可能な係合突部とキャップ弛め方向の螺動を阻止する係合段部とを設け、係合突部が互いに噛合いかつ離脱させるのに必要なキャップ外筒の弾性変形を可能とする間隔が環状部とキャップ外筒との間に形成可能とするように環状部外径よりも外筒内径を大とした安全キャップ付容器が記載されている。
【０００４】
特許文献２には、キャップの外側スカートの内側にある突起と容器体の外側の螺子部の下方にある突起又はカムとがキャップが容器体に対して螺着されるときに互いに係合してキャップの除去を阻止するとともに、キャップの外側スカートが突起同士の係合点から離れて対向して定められた位置を押圧されたときは外側スカートが変形することにより突起同士がはずれてキャップのネジ戻しを許すようにした安全容器が記載されている。
【特許文献１】実公昭５３−５０６７９号公報
【特許文献２】特開平１−３０８７５９号公報
【発明の開示】
【発明が解決しようとする課題】
【０００５】
しかしながら、前記従来の技術のものでは以下のような問題があった。特許文献１に記載の安全キャップ付容器では、互いに噛合いかつ離脱させるのに必要な間隔を容器体の環状部とキャップ外筒との間に設けるので、キャップが容器体の環状部に対して大きくなるという点や、このような間隔の存在によってキャップを把持する際の構造強度が不足して開栓操作がしにくいという問題点があった。
特許文献２に記載の安全容器では、前記同様の問題点に加えて、キャップを押圧する際の押圧代が確保されていないので、キャップの変形操作に必要な押圧力が大きくなり取り扱い性に欠けるという問題点があった。
【０００６】
本発明は、従来の課題を解決するためになされたもので、キャップが容器体から容易に外れることによって発生する幼児などの事故を防ぐための安全な機構を設けた、容器体とキャップとの組合せを提供することを目的とする。
また、本発明の他の目的は、開栓時の操作性にも優れた容器体とキャップとの組合せを提供することである。
【課題を解決するための手段】
【０００７】
（１）本発明の容器体とキャップとの組合せは、容器体とキャップとの組合せであって、  容器体は、外周に雄ネジが形成された口頸部と、該雄ネジの下方で且つ該口頸部の外方に設けられ周方向に対向する位置関係にある２個の係止部とを有しており、前記口頸部の雄ネジには前記係止部と直交する位置に雄ネジ欠落部が形成されており、前記雄ネジ欠落部の下方には容器体係合部が形成されており、
キャップは、天面壁と該天面壁の周縁から垂下するスカート部を有し、前記スカート部の内周面には、前記口頸部の雄ネジに螺着する雌ネジと該雌ネジより下方に１個又は周方向に対向する位置関係にある２個の突起が形成されており、前記突起と直交する位置の前記スカート部内周面には、前記スカート部外側面を外方から押圧した際に前記容器体係合部に下方より係合するキャップ係合部が形成されており、
前記キャップを開栓する際、前記容器体口頸部の係止部に前記キャップの突起が当接して開栓方向への旋回が阻止され、前記突起と直交する位置の前記スカート部外側面を外方から押圧することによりスカート部を楕円形状に弾性変形させ、前記係止部より前記突起を半径方向外方に移動させ開栓方向への旋回が許容される機構を有し、
前記キャップの雌ネジには、前記突起と直交する位置に雌ネジ欠落部が形成されていることを特徴とする。
【００１０】
請求項２の容器体とキャップとの組合せは、前記（１）において、前記突起の周方向両側に前記スカート部を薄肉にした変形促進部が形成されていることに特徴を有している。
【発明の効果】
【００１１】
本発明によれば、容器体は雄ネジが形成された口頸部の外方周方向に対向する位置関係にある係止部を有しており、雄ネジには係止部と直交する位置に雄ネジ欠落部が形成され、雄ネジ欠落部の下方には容器体係合部が形成され、スカート部外側面を外方から押圧した際に、係止部を半径方向外方に移動させて開栓方向への旋回が許容されるので、幼児などが誤って開栓することがない安全性に優れた容器体とキャップとの組合せを提供することができる。
また、雄ネジ欠落部や雌ネジ欠落部が設けられキャップを押圧して変形させるのに必要な押圧力を少なくできるので、開栓時の操作性にも優れた容器体とキャップとの組合せを提供することができる。
さらに、開栓時において、スカート部の外側面の押圧部をキャップの外方から押圧し容器体係合部の下方にキャップ係合部を係合させることにより、開栓時のキャップのすっぽ抜けを防止することができ、雄ネジ欠落部や雌ネジ欠落部の形成による開栓時の螺合強度の低下を補うことができる。
【発明を実施するための最良の形態】
【００１２】
本発明の容器体とキャップとの組合せにおいては、容器体は外周に雄ネジが形成された口頸部と該口頸部の外方に設けられた周方向に対向する位置関係にある２個の係止部を有しており、前記口頸部の雄ネジには前記係止部と直交する位置に雄ネジ欠落部が形成されており、前記雄ネジ欠落部の下方には容器体係合部が形成されており、前記キャップは天面壁と該天面壁の周縁から垂下するスカート部を有し、前記スカート部の内周面には、前記口頸部の雄ネジに螺着する雌ネジと該雌ネジより下方に１個又は周方向に対向する位置関係にある２個の突起が形成されており、前記突起と直交する位置の前記スカート部内周面には、前記スカート部外側面を外方から押圧した際に前記容器体係合部に下方より係合するキャップ係合部が形成されており、前記キャップを開栓する際、前記容器体口頸部の係止部に前記キャップの突起が当接して開栓方向への旋回が阻止され、前記突起と直交する位置の前記スカート部外側面を外方から押圧することによりスカート部を楕円形状に弾性変形させ、前記係止部より前記突起を半径方向外方に移動させ開栓方向への旋回が許容される機構を有している。
【００１３】
また、前記キャップの雌ネジには、前記突起と直交する位置に雌ネジ欠落部が形成されるようにすることができる。このような雄ネジ欠落部と雄ネジ欠落部を併用させることによって、キャップのスカート部を楕円形状に弾性変形させることが容易となり、キャップを容器体から取り外す際の開栓操作性をさらに高めることができる。
【００１４】
さらに、前記突起の周方向両側に前記スカート部を薄肉にした変形促進部を形成することにより、前記突起を半径方向外方に移動させ前記係止部よりの解除を容易にし、キャップの開栓方向への旋回を許容する。
以下、本実施例に係る容器体とその口頸部に螺合されるキャップとの組合せを図面に基づいて具体的に説明する。
【実施例１】
【００１５】
図１は、本発明の実施例１に係る容器体とキャップとの組合せにおけるキャップの正面断面図（ａ）及び底面図（ｂ）であり、図２は、容器体とキャップとの組合せにおける容器体の口頸部の正面図（ａ）及び上面図（ｂ）である。
図１において、１０は実施例１に係る容器体とキャップとの組合せにおけるキャップであり、キャップ１０の天面壁１０ａ周縁からは、スカート部１１を略円筒状に垂下させるとともに、スカート部１１の内周面には雌ネジ１２を設けている。そして、雌ネジ１２の下方には周方向に対向する位置に２個の突起１３，１３ａを配置する。さらに、突起１３，１３ａと直交する位置の雌ネジ１２は、その一部を上下方向に欠いて雌ネジ欠落部１４、１４ａを形成するとともに、雌ネジ欠落部１４、１４ａの下方においてキャップ係合部１５，１５ａを内方に突出させて形成している。
【００１６】
図２において、２０は実施例１に係る容器体とキャップとの組合せにおける容器体であり、容器体２０の注ぎ口である口頸部２１の外周には雄ネジ２２を形成し、口頸部２１の下方には周方向に対向する位置に２個の係止部２３，２３ａを配置する。そして、係止部２３，２３ａと直交する位置の雄ネジ２２は、その一部を上下方向に欠いて雄ネジ欠落部２４，２４ａを形成するとともに、雄ネジ欠落部２４，２４ａの下方において容器体係合部２５，２５ａを外方に突出させて形成し、キャップ１０に形成されたキャップ係合部１５、１５ａと係合するように構成される。
【００１７】
上記の構成の容器体とキャップとの組合せにおいて、容器体２０の口頸部２１に螺着されたキャップ１０は、口頸部２１の下方に設けられた係止部２３にキャップ１０の突起１３，１３ａが当接することにより開栓方向への旋回が阻止されている。
【００１８】
また、キャップ１０のスカート部１１の厚みは、キャップ１０のスカート部１１の外側面を外方から押圧することにより、円形状の断面を楕円形状に容易に変形可能な肉厚としている。すなわち、雄ネジ欠落部２４，２４ａに相当する位置にあるスカート部１１の外側面を内方に押圧して、断面円形状のスカート部１１を楕円形状に弾性変形させることにより、キャップ１０の突起１３，１３ａを半径方向外方に移動させ、係止部２３との係合状態を解除させることができる。この解除により、キャップの開栓方向への旋回が許容される。なお、キャップ１０は、ポリエチレンやポリプロピレンなどの合成樹脂を素材として、射出、圧縮などの成形方法により、スカート部が弾性変形可能な厚みに円筒状に形成される。
【００１９】
次に、本実施例の容器体とキャップとの組合せにおける使用形態について図面を参照して説明する。
図３は、容器体とキャップの係止状態（ａ）及び解除状態（ｂ）を示す断面説明図であり、図４は、図３におけるＡ−Ａ、Ｂ−Ｂ、Ｃ−Ｃ断面図であり、図５は、図３におけるＡ’−Ａ’、Ｂ’−Ｂ’、Ｃ’−Ｃ’断面図である。
図３〜図５に示すように、キャップ１０のスカート部１１の外側面を外方から押圧してスカート部１１を楕円形状に弾性変形させると、容器体２０の係止部２３に係止していた突起１３，１３ａは半径方向外方に移動し、それぞれ係止部２３、２３ａから離脱して係止状態が解除され、キャップ１０は開栓方向への旋回が許容される。
【００２０】
上記のキャップ１０のスカート部１１が楕円形状へ弾性変形して係止状態が解除される機構について、以下に詳細に説明する。
図４のＢ−Ｂ断面図に示すように、容器体へのキャップの係止状態においては、スカート部１１の雌ネジ欠落部１４、１４ａと容器体２０の雄ネジ欠落部２４、２４ａとの間には空間２６が形成されており、スカート部１１の断面が円形状から楕円形状に弾性変形することを容易にしている。この空間２６に対応したスカート部１１外面側の押圧部２７を外方から押圧すると（図５のＢ’−Ｂ断面図参照）、図５のＡ’−Ａ’断面図に示すように、スカート部１１内周面に形成された突起１３、１３ａがその半径方向外側に移動し、係止していた容器体２０の係止部２３、２３ａから解除されることで、キャップ１０の開栓方向への旋回ができるようになる。上記のように、実施例１の容器体とキャップの組合せは、容器体とキャップとの間に空間２６を設けキャップの外側から押圧操作することによってスカート部の楕円形状への変形を容易にし、キャップの係止状態を解除している。
【００２１】
また、雄ネジ欠落部（２４，２４ａ）の下方には容器体係合部（２５，２５ａ）が外方に突出するように形成され、突起（１３，１３ａ）と直交する位置の前記スカート部（１１）内周面の下部には、キャップ係合部（１５，１５ａ）が内方に突出するように形成され、開栓時において、雌ネジ欠落部１４、１４ａに対応したスカート部（１１）の外側面の押圧部２７をキャップの外方から押圧すると、口頸部２１の容器体係合部（２５，２５ａ）の下方に、キャップ１０のキャップ係合部（１５，１５ａ）が係合して、開栓時のキャップのすっぽ抜けを防止している。雄ネジ欠落部（２４，２４ａ）や雌ネジ欠落部１４、１４ａを形成することで、開栓時の螺合強度の低下を補うためである。
【００２２】
また、実施例１では、キャップ１０のスカート部１１上で対向して配置される雌ネジ欠落部１４、１４ａ間の方向は、係止状態を解除する押圧操作方向とが、同一方向になるように設定しているが、空間２６の幅などにより、その方向は多少の角度を形成していてもよい。
【実施例２】
【００２３】
図６は、容器体とキャップとの組合せにおける実施例２の動作形態を示す平面断面図である。
実施例２の、容器体とキャップとの組合せにおいては、キャップ１０の突起１３、１３ａに連設するスカート部１１の肉厚を一部薄肉化した変形促進部１６、１６ａが設けられている。このような、変形促進部１６、１６ａを設けることによって、キャップ１０のスカート部１１を楕円形状に弾性変形させることを容易にし、より小さな作用力で係止部２３、２３ａから突起１３、１３を解除させてキャップの開栓操作性をさらに高めることができる。
【００２４】
本発明の変容例として、容器体とキャップの間の空間２６を確保する手段として、雌ネジ欠落部のみの場合も考えられる。この場合、容器体の口頸部２１には、その外周に雄ネジ２２が形成され、雄ネジ２２の下方で且つ口頸部２１の外方に設けられ周方向に対向する位置関係に２個の係止部２３，２３ａが形成されており、雄ネジ２２の下方には容器体係合部２５，２５ａが形成されている。キャップは、天面壁１０ａと天面壁の周縁から垂下するスカート部１１を有し、スカート部１１の内周面には、口頸部の雄ネジ２２に螺着する雌ネジ１２と雌ネジ１２より下方に１個又は周方向に対向する位置関係にある２個の突起１３，１３ａが形成されている。また、雌ネジには突起１３，１３ａと直交する位置に雌ネジ欠落部１４，１４ａが形成されており、雌ネジ欠落部の下方のスカート部１１内周面には、スカート部１１外側面を外方から押圧した際に容器体係合部２５，２５ａに下方より係合するキャップ係合部１５，１５ａが形成されており、キャップを開栓する際、容器体口頸部２１の係止部２３，２３ａにキャップの突起１３，１３ａが当接して開栓方向への旋回が阻止され、雌ネジ欠落部の対応する位置のスカート部１１外側面を外方から押圧することによりスカート部１１を楕円形状に弾性変形させ、係止部２３，２３ａより突起１３，１３ａを半径方向外方に移動させ開栓方向への旋回が許容される機構となっている。
【００２５】
なお、本発明に係る容器体とキャップとの組合せは、容器体とキャップとの間に空間を設けキャップの外側から押圧操作することによってスカート部の楕円形状への変形を容易にし、キャップの係止状態を解除するようにしたことを要旨とするものであり、これに属するものは本発明の権利範囲である。
【産業上の利用可能性】
【００２６】
本発明において、開栓時において、キャップを押圧して変形させるのに必要な押圧力を少なくできるので、開栓時の取り扱い性に優れた容器体とキャップとの組合せを提供することができる。また、キャップが容器体から容易に外れることがなく乳幼児などが誤って開栓することができない、安全性に優れた容器体とキャップとの組合せを提供することができる。
【図面の簡単な説明】
【００２７】
【図１】容器体とキャップとの組合せにおけるキャップの正面断面図（ａ）及び底面図（ｂ）である。
【図２】容器体とキャップとの組合せにおける容器体の口頸部の正面図（ａ）及び上面図（ｂ）である。
【図３】容器体とキャップとの組合せにおける係合状態（ａ）及び解除状態（ｂ）の断面説明図である。
【図４】図３のＡ−Ａ、Ｂ−Ｂ、Ｃ−Ｃ断面図である。
【図５】図３のＡ’−Ａ’、Ｂ’−Ｂ’、Ｃ’−Ｃ’断面図である。
【図６】実施例２における容器体とキャップとの組合せにおける係合状態（ａ）及び解除状態（ｂ）を示す断面説明図である。
【符号の説明】
【００２８】
１０  キャップ
１０ａ  天面壁
１１  スカート部
１２  雌ネジ
１３，１３ａ  突起
１４、１４ａ  雌ネジ欠落部
１５，１５ａ  キャップ係合部
１６，１６ａ  変形促進部
２０  容器体
２１  口頸部
２２  雄ネジ
２３、２３ａ  係止部
２４、２４ａ  雄ネジ欠落部
２５、２５ａ  容器体係合部
２６  空間
２７  押圧部
【図１】
0004748668.tif 000002
【図２】
0004748668.tif 000003
【図３】
0004748668.tif 000004
【図４】
0004748668.tif 000005
【図５】
0004748668.tif 000006
【図６】
0004748668.tif 000007